(57)【要約】【課題】扉の開閉時や地震の際等に転倒する虞を低減した家具、特に、奥行きの浅い箱物家具を提供する。【解決手段】２本の支柱２を、横方向に長尺の支柱取付部材を介して建物の壁面に固定し、前記支柱２に１つ又は複数の家具ユニット１２、１３、１４を取付け、  前記支柱２は、該支柱２を建物の壁面に固定する際に前記壁面と接する壁当接部を有し、該壁当接部を、前記支柱取付部材により前記壁面に押し付けることで、前記支柱を前記壁面に固定する。【選択図】図３
2010057548.tif 000002
【特許請求の範囲】
【請求項１】
２本の支柱を、横方向に長尺の支柱取付部材を介して建物の壁面に固定し、前記支柱に１つ又は複数の家具ユニットを取付けることを特徴とする家具。
【請求項２】
前記支柱は、該支柱を建物の壁面に固定する際に前記壁面と接する壁当接部を有し、
該壁当接部を、前記支柱取付部材により前記壁面に押し付けることで、前記支柱を前記壁面に固定することを特徴とする請求項１記載の家具。
【請求項３】
前記支柱取付部材の横方向の両端部により、前記各支柱の壁当接部を建物の壁面に押し付けることで、前記支柱を前記壁面に固定することを特徴とする請求項２記載の家具。
【請求項４】
前記支柱取付部材には、その横方向に、その表裏を貫通する１つ又は複数個の長穴状の取付穴を形成したことを特徴とする請求項１又は２又は３記載の家具。
【請求項５】
前記支柱は、前記壁当接部から垂直に立ち上がった支持部を有し、該支持部に家具ユニット取付部を設けたことを特徴とする請求項２又は３又は４記載の家具。
【請求項６】
前記家具ユニット取付部は、前記支柱における支持部の外面から外側方向に突出する突起により形成し、該突起に前記家具ユニットを取付けることにより、前記支柱に家具ユニットを取付けるようにしたことを特徴とする請求項５記載の家具。
【請求項７】
前記家具ユニットの側板の後端部には、一端に建物の壁面方向に開口する開口部を有し、他端が、前記開口部より前方で、かつ、斜め上方に位置する溝を形成し、該溝に前記突起を係止することにより、前記支柱に家具ユニットを取付けるようにしたことを特徴とする請求項６記載の家具。
【発明の詳細な説明】
【技術分野】
【０００１】
本発明は家具に関するものである。
【背景技術】
【０００２】
一般に、箱物家具は、その奥行きが浅いと不安定であることから、扉の開閉時や地震の際等に転倒する虞があるため、奥行きが４０ｃｍ以上のものが多い。しかし、このように奥行きが深い箱物家具においては、収納物や収納量によっては、収納されていない空間が多く存在するため、奥行きの浅い箱物家具も望まれている。
【０００３】
また、家具が地震により転倒することを防止する方法として、設置してある家具の両側面の外側に位置して、２本の長尺の支柱を配置するとともに、その支柱の上下端を建物の壁面に固定し、該支柱と家具とを連結することにより家具の転倒を防止する転倒防止具を用いた方法が知られている（特許文献１参照）。
【０００４】
このような転倒防止具を用いることで、前記のような奥行きの浅い箱物家具を安定して設置できる可能性がある。
【特許文献１】特開２００７−２６０２０６号公報
【発明の開示】
【発明が解決しようとする課題】
【０００５】
前記従来の転倒防止方法においては、支柱を床面近傍や天井近傍の位置において、建物の壁面にビス等で取付ける必要があるため、取り付け作業が困難な場合がある。
【０００６】
また、支柱の上下端のみを建物の壁面に固定するため、支柱に固定した家具の荷重が支柱の上下方向の中央部に集中した場合、支柱が変形する虞がある。
【０００７】
また、支柱を建物の壁面内に設けられた芯材に固定する必要があるため、芯材の位置により設置できる家具の位置が限定されるという問題がある。
【０００８】
また、箱物家具の外側面に支柱を配置するため、支柱が外視され、インテリアの美感を損なうという問題点がある。
【０００９】
そこで、本発明は、上記の課題を解決する家具、特に奥行きの浅い箱物家具を提供することを目的とするものである。
【課題を解決するための手段】
【００１０】
前記課題を解決するために、請求項１記載の発明は、２本の支柱を、横方向に長尺の支柱取付部材を介して建物の前記壁面に固定し、前記支柱に１つ又は複数の家具ユニットを取付けることを特徴とするものである。
【００１１】
請求項２記載の発明は、請求項１記載の発明において、前記支柱は、該支柱を建物の壁面に固定する際に前記壁面と接する壁当接部を有し、
該壁当接部を、前記支柱取付部材により前記壁面に押し付けることで、前記支柱を前記壁面に固定することを特徴とするものである。
【００１２】
請求項３記載の発明は、請求項２記載の発明において、前記支柱取付部材の横方向の両端部により、前記各支柱の壁当接部を建物の壁面に押し付けることで、前記支柱を前記壁面に固定することを特徴とするものである。
【００１３】
請求項４記載の発明は、請求項１又は２又は３記載の発明において、前記支柱取付部材には、その横方向に、その表裏を貫通する１つ又は複数個の長穴状の取付穴を形成したことを特徴とするものである。
【００１４】
請求項５記載の発明は、請求項２又は３又は４記載の発明において、前記支柱は、前記壁当接部から垂直に立ち上がった支持部を有し、該支持部に家具ユニット取付部を設けたことを特徴とするものである。
【００１５】
請求項６記載の発明は、請求項５記載の発明において、前記家具ユニット取付部は、前記支柱における支持部の外面から外側方向に突出する突起により形成し、該突起に前記家具ユニットを取付けることにより、前記支柱に家具ユニットを取付けるようにしたことを特徴とするものである。
【００１６】
請求項７記載の発明は、請求項６記載の発明において、前記家具ユニットの側板の後端部には、一端に建物の壁面方向に開口する開口部を有し、他端が、前記開口部より前方で、かつ、斜め上方に位置する溝を形成し、該溝に前記突起を係止することにより、前記支柱に家具ユニットを取付けるようにしたことを特徴とするものである。
【発明の効果】
【００１７】
本発明の家具によれば、建物の壁面に固定した支柱に対し家具ユニットを取付けることができるため、奥行きの浅い箱物家具においても安定して設置することができ、扉の開閉時や地震の際等に、転倒する虞を低減できる。
【００１８】
また、横方向に長尺の支柱取付部材を介して支柱を建物の壁面に対して固定するため、支柱取付部材を上下方向の任意の位置に配置して支柱を建物の壁面に固定できる。そのため、前記従来技術のように、床面や天井の近い位置で支柱を壁面に取付ける必要がなく、取り付け作業が容易である。
【００１９】
また、支柱取付部材を支柱の上下方向の中間部で建物の壁面に固定できるため、従来技術のように、支柱をその上下端のみで建物の壁面に固定するものに比べて、荷重が支柱の中間部に集中する場合にも支柱が変形する虞を低減できる。
【００２０】
また、横方向に長尺の支柱取付部材を介して支柱を建物の壁面に対して取り付けるため、家具の設置位置が建物の壁面内に設けた芯材の位置により制限されることがなく、任意の位置に家具を設置することができる。
【００２１】
また、支柱を、支柱取付部材を介して建物の壁面に固定し、該支柱に家具ユニットを取付けるため、支柱等が外部から視認されること無く家具を設置することができ、インテリアの美感を損なうことがない。
【００２２】
請求項７記載の発明によれば、更に、溝に突起を嵌合するのみで、家具ユニットを支柱に取付けることができるため、容易に家具ユニットを取り付けでき、家具の設置作業が容易である。
【発明を実施するための最良の形態】
【００２３】
本発明を実施するための最良の形態を図１乃至図２２に示す実施例に基づいて説明する。
【実施例１】
【００２４】
本発明の実施例１の家具は、図１〜図４に示す家具１である。なお、家具１の扉側を前側Ａとし、建物の壁側を後側Ｂとし、家具の正面に向って右側、すなわち図１のＣ側を右側、家具の正面に向って左側、すなわち図１のＤ側を左側として以下説明する。
【００２５】
該家具１は、図３、図４に示すように、その後側の左右側部に２本の支柱２、２を有する。
【００２６】
該両支柱２、２は、金属製で長尺に形成され、その長手方向が上下方向となるように配置されている。該支柱２、２の上下方向の長さは、家具１の高さ及び家具１を構成する夫々の家具ユニット１２、１３、１４の高さに応じて任意に設定するもので、家具１の全体の高さよりも短く、かつ、第２家具ユニット１３自体の高さより長く設定することが好ましい。
【００２７】
前記両支柱２、２の各横断面形状は、夫々、図７に示すように、Ｌ字状に一体に形成されている。該各支柱２、２は、図５〜７に示すように、夫々平板形状の壁当接部３と、該壁当接部３と直交して前方へ立上って突設する平板形状の支持部４を有する。また、図５に示すように、右側Ｃの支柱２の支持部４は、その壁当接部３の右側端に位置して設けられ、左側Ｄの支柱２の支持部４は、その壁当接部３の左側端に位置して設けられている。
【００２８】
前記壁当接部３は、図５、図７に示すように、平板形状に形成され、その横方向（左右方向）の幅Ｌ１は、該壁当接部３を建物の壁面Ｗに接するように取付けた際に、支柱２がガタつかない幅を有していれば良く、任意に設定するものである。本実施例１においてはＬ１を３０ｍｍに設定した。
【００２９】
前記両支柱２、２の夫々の壁当接部３の上部には、図５に示すように、後述する上棧８を取付けるための取付穴が、その表裏を貫通して設けられている。
【００３０】
前記支持部４の外側面４ａには、家具ユニット取付部５が上下方向に適宜間隔を有して複数個固設されている。該家具ユニット取付部５の数、及び上下に隣接する家具ユニット取付部５、５間の距離は、取付ける家具ユニット１２、１３、１４に設けた取付部２０、２８、３３（図３参照）の位置に応じて任意に設定される。本実施例１においては、家具ユニット取付部５を左右の支柱２、２に上下方向において等間隔で夫々７個設けた。
【００３１】
また、本実施例１においては、前記家具ユニット取付部５を、図７に示すように、支持部４の外側面４ａから外側方向へ水平に突出する円筒形状の突起５ａで形成した。該円筒状の突起５ａの長さ、直径は、後述する家具ユニット１２、１３、１４に設けた溝２１、２９、３４の深さ、幅に対応、すなわち、嵌合するように設定されている。
【００３２】
前記左右の支柱２、２の下部には、図６に示すように、支持部４を左右方向に貫通する取付穴７が、上下方向に任意の間隔を有して複数個設けられている。取付穴７の数及び、上下に隣接する取付穴７、７間の距離は、任意に設定するもので、本実施例１においては、左右の支柱２、２に、夫々５個の取付穴７を等間隔に設けた。
【００３３】
前記左右の支柱２、２の支持部４の外側面４ａ、４ａ間の距離Ｌ２は、後述する上棧８により、支柱２に取付ける家具ユニット１２、１３、１４の側板１７、２６、３２の夫々の内側面間の距離Ｌ３より若干短く設定されている。
【００３４】
前記支柱２、２の上端部間には、図４、図５に示すように、上棧８が架設されている。該上棧８は、図５に示すように、前面が長方形の平板形状に形成され、その長手方向が横方向となるように設けられている。該上棧８の両端部には、前記壁当接部３の取付穴に対応した位置にそれぞれ取付穴が設けられ、この取付穴と前記壁当接部３の取付穴を通じて、ねじ９により壁当接部３と上棧８とを連結し固定できるようになっている。
【００３５】
前記支柱２、２は、図１０〜１６に示す支柱取付部材１０を介して、建物の壁面Ｗに取り付けることができるようになっている。該支柱取付部材１０は、図１０に示すように、横方向に長尺に形成され、本実施例においては、前面が長方形の平板状に形成し、その長手方向を横方向となるようにして配設されている。該支柱取付部材１０の横方向の長さは、図１２、１３に示すように、左右の支柱２、２の支持部４、４の内側面４ｂ、４ｂ間の距離よりも若干短く設定されている。
【００３６】
該支柱取付部材１０の裏面１０ａの左右端部には、図１３に示すように、凹状の段部１０ｂが上下方向全体に亘って形成されている。該段部１０ｂにおける支柱取付部材１０の裏面１０ａからの段差Ｄ１は、前記壁当接部３の厚みＤ２よりも若干短く設定され、図１３に示すように、段部１０ｂを壁当接部３に係止させた場合に、壁当接部３の裏面３ｂが支柱取付部材１０の裏面１０ａより若干突出するようになっている。
【００３７】
前記支柱取付部材１０には、図１０、１４に示すように、その表裏を貫通する取付穴１０ｃが設けられている。該取付穴１０ｃは、図１０に示すように、長手方向が横方向となる長穴形状に形成されている。該取付穴１０ｃの数、及び位置は、任意に設定することができるが、図１０に示すように、複数の取付穴１０ｃをその長手方向を横方向に配置して、支柱取付部材１０の略横方向全体に亘って設けられていることが好ましい。
【００３８】
また、本実施例１においては、取付穴１０ｃを上下２段に形成したが、その段数は１段でも、複数段でも良く、任意に設定することができる。また、本実施例１においては、図１０に示すように、上段と下段の取付穴１０ｃを相互に千鳥状に配置したことにより、横方向の全長の何れの場所においても建物の壁面Ｗに対して取付けることができるようになっている。
【００３９】
次に、前記支柱２に取付けることができる第１家具ユニット１２、第２家具ユニット１３、第３家具ユニット１４について説明する。
【００４０】
前記第１家具ユニット１２は、図１〜４、８、９に示すように、両側板、裏板、地板と天板を有するとともに、前方に開閉可能な扉を有し、その内部に収納物を収納できる箱物家具であり、その左右の側板１７、１７の後部は、裏板１６よりも後方に突出しており、裏板１６の後方には、両側板１７、１７間において、後方と上下方向が開口する空間１８が形成されている。
【００４１】
前記両側板１７における裏板１６よりも後方へ突出した部分の内側面１７ａには、図８、９に示すように、上下方向に適宜間隔を有して、複数の取付部２０が設けられている。該取付部２０の数と上下方向に隣接する取付部２０、２０間の距離は、支柱２の家具ユニット取付部５の数と位置に対応して設定するもので、本実施例１においては、左右の側板１７、１７に夫々、３個の取付部２０を等間隔に設けた。
【００４２】
また、本実施例１においては、取付部２０として、Ｌ字状の溝２１を用いた。該溝２１は、図９に示すように、その一端２１ａが、側板１７の後端面に開口し、該開口部２１ａから前方に向って形成された挿入部２１ｂと、該挿入部２１ｂの前端部から下方に向かって形成された係止部２１ｃで構成されている。また、溝２１は、図８に示すように、側板１７を左右方向に貫通することなく、側板１７の内側面１７ａ側が開口するように形成された有底状の溝である。すなわち、溝２１は、側板１７の外側面からは視認することができないようになっている。
【００４３】
溝２１の前端から後端までの長さＬ４は、図９に示すように、側板１７の裏板１６から後端までの長さＬ５よりも短く設定され、かつ、前記支柱２の突起５ａの前端縁と支柱２の後端との距離Ｌ６との長さと同じか、若干短く設定されている。溝の２１の深さは、前記突起５ａの高さと同じか、若干長く設定されている。
【００４４】
また、側板１７の内側面１７ａには、図９に示すように、その上下方向に適宜間隔を有して３個の有底状の取付穴２２が設けられている。該取付穴２２内には図示しない雌ネジが固設されている。該取付穴２２の位置は、支柱２に形成した前記取付穴７の位置に対応して設定されている。該取付穴２２は、前記支柱２の取付穴７に対応した位置に設けられていればよく、その数、取付穴２２、２２間の距離は、任意に設定するものである。
【００４５】
前記第２家具ユニット１３は、図１〜４、１７、１８に示すように、板部材２５を有し、該板部材２５の両側部には、該板部材２５の前端よりは前方に突出せず、該板部材２５の後端より後方に突出する側板２６、２６が固設されている。これにより、板部材２５の後方の側板２６、２６間には、後方と上下方向に開口する空間２７が形成されている。
【００４６】
前記側板２６の内側面２６ａにおける板部材２５よりも後部には、上下方向に適宜間隔を有して、複数の取付部２８が設けられている。該取付部２８の数と上下方向に隣接する取付部２８、２８間の距離は、支柱２の家具ユニット取付部５の数と位置に対応して設定するものであり、本実施例１においては、左右の側板２６、２６に夫々、２個の取付部２８を設けた。
【００４７】
また、本実施例１においては、取付部２８として、図１８に示すように、Ｌ字状の溝２９を用いた。該溝２９は、その一端２９ａが、側板２６の後端面に開口し、該開口部から前方に向って形成された挿入部２９ｂと、該挿入部２９ｂの前端部から上方に向かって形成される係止部２９ｃで構成されている。すなわち、溝２９は、その一端２９ａが側板２６の後端面（建物の壁面方向）に開口し、他端２９ｄが、前記開口部より前方で、かつ、斜め上方に位置するように形成されている。また、溝２９は、側板２６を左右方向に貫通することなく内側面２６ａ側が開口した有底状の溝である。すなわち、溝２９は、側板２６の外側面からは視認することができないようになっている。
【００４８】
前記溝２９の前端から後端までの長さＬ７は、前記第１家具ユニット１２の溝２１の前端から後端までの長さＬ４と同じに、溝の２９の深さは、前記溝２１の深さと略同じに設定されている。また、溝２９の上端から下端までの長さは、第２家具ユニット１３を支柱２に取付けた際に、第２家具ユニット１３の側板２６の下端が、第１家具ユニット１２の側板１７の上端に当接できる長さに設定されている。
【００４９】
前記第３家具ユニット１４は、図１〜４に示すように、両側板、裏板、地板、天板を有するとともに、前方に開閉可能な扉を有し、その内部に収納物を収納できる箱物家具であり、その左右の側板３２、３２の後部は裏板３１よりも後方に突出しており、裏板３１の後方には、両側板３２、３２間において、前記第２家具ユニット１３と同様に、後方と上下方向が開口する空間が形成されている。
【００５０】
前記両側板３２における裏板３１よりも後方へ突出した内側面には、上下方向に適宜間隔を有して、複数の取付部３３が設けられている。該取付部３３の数と上下に隣接する取付部３３、３３間の距離は、支柱２の家具ユニット取付部５の数と位置に対応して設定するもので、本実施例１においては、左右の側板３２、３２に夫々、３個の取付部３３を等間隔に設けた。
【００５１】
また、本実施例１においては、取付部３３として、前記第２家具ユニットの溝２９と同じ形状を有する溝３４を用いた。
【００５２】
次に、建物の壁面Ｗに対する前記家具１の設置方法について説明する。
先ず最初に、図５に示すように、左右の支柱２、２の上部に対し、上棧８を架設し、ボルト９により固設する。これにより、両支柱２、２間の距離が所定の長さに定まる。
【００５３】
次に、図１０、１４に示すように、各支柱２、２の最下端と下から２番目の２個の突起５ａを、第１家具ユニット１２の左右の側板１７、１７の夫々上側２個の溝２１における開口部２１ａから挿入部２１ｂ内に挿入して前方に移動させた後に、支柱２を下方へ引き下げて落とし込む。これにより、溝２１の係止部２１ｃに突起５ａが係止する。
【００５４】
次に、ボルト３６を、各支柱２、２の夫々下側３個の取付穴７内に内側から挿通し、第１家具ユニット１２の取付穴２２に螺合することにより、両支柱２、２を第１家具ユニットに対し立設した状態で固定する。
【００５５】
次に、第１家具ユニット１２を取付けた両支柱２、２を、家具１を設置したい位置に配置し、両支柱２、２の壁当接部３、３を建物の壁面Ｗに当接させる。
【００５６】
次に、支柱取付部材１０の両端部の段部１０ｂを、図１２〜１４に示すように、両支柱２、２の壁当接部３、３の前面側に係合させるとともに、該支柱取付部材１０を支柱２、２の上部に配置し、図１５、１６に示すように、建物の壁内の芯材４０が位置部分において、固定手段である木ねじ４１等を、支柱取付部材１０の取付穴１０ｃに挿通させた後に、芯材４０に対して固定する。これにより、左右の支柱２、２の壁当接部３、３が、支柱取付部材１０の両端部により建物の壁面Ｗに押し付けられ、支柱２、２が建物の壁面Ｗに対して固定される。すなわち、両支柱２、２は、支柱取付部材１０を介して建物の壁面Ｗに固定される。
【００５７】
なお、図１５は、配置する家具１の支柱２、２間に２本の芯材４０が存在する場合をしめし、図１６は配置する家具１の支柱２、２間に１本の芯材４０が存在する場合を示す。
【００５８】
次に、図１９に示すように、第２家具ユニット１３を、その左右の２個の溝２９の開口端２９ａが、支柱２、２の突起５ａと対向するように配置した状態で後方へ移動させ、突起５ａを挿入部２９ｂ内に所定量挿通させた後に、第２家具ユニット１３を下方に引き下げ、突起５ａを溝２９の係止部２９ｃに係止させるとともに、第２家具ユニット１３の左右の側板２６、２６の下端面を、第１家具ユニット１２の左右の側板１７、１７の上端面に載置させて、第２家具ユニット１３を支柱２、２に落し込み方法で取付けて固定する。
【００５９】
これにより、第２家具ユニット１３は、図１〜４に示すように、家具１の上下方向の中間位置で、支柱２、２に取付けられる。
【００６０】
次に、前記第２家具ユニット１３の取り付け方法と同様に、第３家具ユニット１４の溝３４の係止部に支柱２の突起５ａを係止させて、第３家具ユニット１４を支柱２、２に落し込み方法で取付けて固定する。
【００６１】
これにより、家具１が完成するとともに、家具１を建物の所定の壁面Ｗに対して固定配置することができる。
【００６２】
以上の構成により、本発明の実施例１の家具１は、次のような作用、効果を発揮する。
従来の置き家具や置き家具を固定する方法においては、図１〜図４に示すような、下に位置する家具ユニットより奥行きの深い（側板の広い）家具ユニットを積載することは、強度の点から実現することが困難であったが、本発明の家具１によれば、固定した支柱２に対し家具ユニット１２、１３、１４を取付けるため、図１〜図４に示すように、第２家具ユニット１３の奥行きよりも、奥行きの深い第３ユニット１４を、第２ユニット１３の上部に載置しても、固定した支柱２が支えとなるため、耐震強度上問題がない。
【００６３】
また、横方向に長尺の支柱取付部材１０を介して支柱２を固定し、支柱取付部材１０は、支柱２を安定して固定できる範囲であれば上下方向の任意の位置に取付けることができるため、前記従来技術のように、床面や天井に近い位置等の作業が困難な位置で支柱を建物の壁面Ｗに取付ける必要がなく、取り付け作業が容易である。
【００６４】
また、支柱取付部材１０は、支柱２の上下方向における所望の位置に配置できるため、この支柱取付部材１０を、家具ユニット１２、１３、１４の荷重が集中する部分に配置できる。そのため、支柱の上下端のみで建物の壁面Ｗに固定する従来技術のように、家具を支柱に固定した際に、その荷重が中央部に集中して支柱が変形する虞を低減できる。
【００６５】
また、横方向に長尺の支柱取付部材１０を介して支柱２を建物の壁面Ｗに対して取り付け、その支柱取付部材１０の横方向の略全体に亘って取付穴１０ｃが形成されているため、図１５、図１６に示すように、建物の壁面内の芯材の位置に制限されることなく、任意の位置に家具を設置することができる。
【００６６】
また、支柱２、支柱取付部材１０を、家具ユニット１２、１３、１４の側板１７、２６、３２の内側に位置して設け、溝２１、２９、３４を側板１７、２６、３２の内側面に設け、かつ、有底状としたため、これら支柱２等が外部から視認されることがなく、インテリアの美感を損なうことがない。
【００６７】
また、突起５ａに溝２９、３４を嵌合するのみで、第２家具ユニット１３、第３家具ユニット１４を支柱に取付けることができるため、容易に、第２家具ユニット１３、第３家具ユニット１４を取り付けできる。
【実施例２】
【００６８】
前記実施例１においては、支柱２に対して第１家具ユニット１２、第２家具ユニット１３、第３家具ユニット１４の計３個の家具ユニットを取付けたが、支柱２に取り付ける家具ユニットの種類、及び、家具ユニットの総数は任意に設定することができ、１個の家具ユニットのみで構成してもよい。
【００６９】
例えば、図２０〜２２に示すように、様々な種類の家具ユニット５１〜５６を、前記支柱２に前記取付構造を用いて、任意に組み合わせて支柱２に対して取り付けることができる。
【００７０】
また、前記実施例１においては、支柱取付部材１０を１個用いたが、該支柱取付部材１０の数は、支柱２を建物の壁面Ｗに対して安定して固定できれば１個でも、複数でもよく、その数及び取付位置は任意に設定するものである。
【００７１】
また、前記実施例１においては、支柱２、２の左右方向の保持として１本の上棧９のみを架設したが、支柱２、２間に架設する棧の数と、その位置は、支柱２、２間の距離を所定の距離に保つことができるものであれば良く、任意に設定することができる。
【００７２】
また、前記第２家具ユニット１３、第３家具ユニット１４の溝２９、３４の形状をＬ字形状としたが、その形状は、その一端が夫々の側板の後端面（建物の壁面方向）に開口し、他端が、前記開口部より前方で、かつ、斜め上方に位置するように形成されていればよく、例えばＬ字、Ｊ字形状、斜めの直線等任意に設定することができる。
【００７３】
本実施例２においても、前記実施例１と同様の作用、効果を発揮することができる。
また、支柱２に付設する家具ユニットの全てを、奥行きの浅い箱物の家具ユニットとした場合においても、固定した支柱２にその家具ユニットを取付けるため、安定して設置することができ、かつ、扉の開閉時や地震の際等に、転倒する虞を低減できる。
【図面の簡単な説明】
【００７４】
【図１】本発明の実施例１における家具の正面図。
【図２】図１の斜視図。
【図３】図１の側面図。
【図４】図１の裏面図。
【図５】本発明の実施例１に用いる支柱及び上棧の正面図。
【図６】図５の側面図。
【図７】図５の一部拡大上面図。
【図８】第１家具ユニットの裏面図。
【図９】図８のＥ−Ｅ線断面図。
【図１０】図５の状態のものに第１家具ユニットに付設し、支柱取付部材を配置した状態の正面図。
【図１１】図１０の斜視図。
【図１２】図１０の上面図。
【図１３】図１０のＦ−Ｆ線断面の部分拡大図。
【図１４】図１０のＧ−Ｇ線断面図。
【図１５】図１０の状態のものを、建物の壁面に取り付けた状態の正面図。
【図１６】図１０の状態のものを、建物の壁面に取り付けた状態の別の例を示す正面図。
【図１７】第２家具ユニットの裏面図。
【図１８】図１７のＨ−Ｈ線断面図。
【図１９】図１０の状態のものに、第２家具ユニットを取付ける方法を説明するための斜視図。
【図２０】本発明の実施例における家具の別の例を示す斜視図。
【図２１】本発明の実施例における家具の別の例を示す斜視図。
【図２２】本発明の実施例における家具の別の例を示す斜視図。
【符号の説明】
【００７５】
１  家具
２  支柱
３  壁当接部
４  支持部
５  家具ユニット取付部
５ａ突起
１０  支柱取付部材
１０ｃ  支柱取付部材の取付穴
１２〜１４、５１〜５６  家具ユニット
２９、３４  溝
Ｗ  壁
【図１】
2010057548.tif 000003
【図２】
2010057548.tif 000004
【図３】
2010057548.tif 000005
【図４】
2010057548.tif 000006
【図５】
2010057548.tif 000007
【図６】
2010057548.tif 000008
【図７】
2010057548.tif 000009
【図８】
2010057548.tif 000010
【図９】
2010057548.tif 000011
【図１０】
2010057548.tif 000012
【図１１】
2010057548.tif 000013
【図１２】
2010057548.tif 000014
【図１３】
2010057548.tif 000015
【図１４】
2010057548.tif 000016
【図１５】
2010057548.tif 000017
【図１６】
2010057548.tif 000018
【図１７】
2010057548.tif 000019
【図１８】
2010057548.tif 000020
【図１９】
2010057548.tif 000021
【図２０】
2010057548.tif 000022
【図２１】
2010057548.tif 000023
【図２２】
2010057548.tif 000024